(57)【要約】  対象者の状態の検出精度を向上させた撮像装置を提供する。  撮像装置１２は、車両内の対象者の顔の光学像を結像させる撮像光学系２２と、結像された光学像を撮像して撮像画像を生成する撮像素子２３と、撮像画像に基づいて対象者の状態を判定する画像処理部２５と、を備える。撮像光学系２２のＦ値をＦ、焦点距離をｆ、および撮像素子２３の画素ピッチをｐとしたとき、Ｆ≧０．０００３ｆ2／ｐが満たされる。
2017073059.tif 000002
【特許請求の範囲】
【請求項１】
車両内の対象者の顔の光学像を結像させる撮像光学系と、
結像された前記光学像を撮像して撮像画像を生成する撮像素子と、
前記撮像画像に基づいて前記対象者の状態を判定する画像処理部と、を備え、
前記撮像光学系のＦ値をＦ、焦点距離をｆ、および前記撮像素子の画素ピッチをｐとしたとき、以下の式を満たす、撮像装置。
Ｆ≧０．０００３ｆ2／ｐ
【請求項２】
請求項１に記載の撮像装置であって、
前記対象者を照らす照明光の波長をλとしたとき、以下の式を満たす、撮像装置。
Ｆ≦１．６４ｐ／λ
【請求項３】
請求項１または２に記載の撮像装置であって、
前記画像処理部は、単一のデコンボリューションフィルタを用いて、前記撮像画像に対して復元処理を施す、撮像装置。
【請求項４】
請求項３に記載の撮像装置であって、
前記デコンボリューションフィルタは、回転対称のジンク関数の分布を示す点拡がり関数に対応するフィルタである、撮像装置。
【請求項５】
請求項１乃至４の何れか一項に記載の撮像装置であって、
前記撮像光学系は、１以上のレンズを含み、２以上のレンズ面に異なる種類のコーティング層が形成され、前記対象者を照らす照明光の透過率が可視光の透過率よりも大きい、撮像装置。
【発明の詳細な説明】
【関連出願の相互参照】
【０００１】
本出願は、２０１５年１０月２６日に日本国に特許出願された特願２０１５−２１００９５の優先権を主張するものであり、この先の出願の開示全体をここに参照のために取り込む。
【技術分野】
【０００２】
本開示の実施形態は、車両の運転者などの対象者の状態を監視するための撮像装置に関する。
【背景技術】
【０００３】
従来、例えば車両の運転者などの対象者の状態を監視する装置が知られている。例えば特許文献１には、運転者の顔を近赤外線で照明する赤外線ＬＥＤと、運転者の顔を撮影するＣＣＤカメラと、顔画像をもとに対象者の眼の開閉状態を検出する瞬目検出回路と、対象者の覚醒度の低下を検出する覚醒度低下検出回路と、を備える居眠り警報装置が開示されている。
【先行技術文献】
【特許文献】
【０００４】
【特許文献１】特開平８−２９０７２６号公報
【発明の概要】
【課題を解決するための手段】
【０００５】
本開示の実施形態に係る撮像装置は、
車両内の対象者の顔の光学像を結像させる撮像光学系と、
結像された前記光学像を撮像して撮像画像を生成する撮像素子と、
前記撮像画像に基づいて前記対象者の状態を判定する画像処理部と、を備え、
前記撮像光学系のＦ値をＦ、焦点距離をｆ、および前記撮像素子の画素ピッチをｐとしたとき、Ｆ≧０．０００３ｆ2／ｐを満たす。
【図面の簡単な説明】
【０００６】
【図１】一実施形態に係る対象者監視システムの概略構成を示すブロック図である。
【図２】図１の対象者監視システムを備える車両を左側方から見た図である。
【図３】撮像光学系に含まれるレンズの概略構成を示す光軸に沿った断面図である。
【図４】焦点距離とＦ値との関係を示す図である。
【図５】焦点距離の２乗／許容錯乱円直径とＦ値との関係を示す図である。
【図６】撮像光学系に含まれるレンズの被コーティング面数およびＡＲコーティング層数に応じた、波長に対する撮像光学系の光の透過率を示す図である。
【発明を実施するための形態】
【０００７】
以下、本開示の実施形態について、図面を参照して説明する。
【０００８】
図１を参照して、本開示の一実施形態に係る対象者監視システム１０について説明する。
【０００９】
図１に示すように、対象者監視システム１０は、照明装置１１と、撮像装置１２と、警告装置１３と、を備える。対象者監視システム１０の各構成要素は、ネットワーク１４を介して情報を送受信可能である。ネットワーク１４には、例えば無線、有線、またはＣＡＮ（Controller Area Network）などが含まれてよい。他の実施形態において、対象者監視システム１０の一部または全部の構成要素が、１つの装置として一体的に構成されてよい。
【００１０】
照明装置１１は、対象者１５の顔に光を照射可能な任意の位置にある。対象者１５は、例えば車両１６の運転者を含んでよい。例えば図２に示すように、照明装置１１は、車両１６のダッシュボード１７に配置されてよい。以下、照明装置１１から出る光を照明光ともいう。
【００１１】
撮像装置１２は、対象者１５の顔を撮像可能な任意の位置にある。撮像装置１２は、例えば車両１６のダッシュボード１７に配置されてよい。一実施形態において、撮像装置１２は、画像上の対象者１５の眼の瞳孔が明るい撮像画像を生成する。以下、瞳孔が明るい撮像画像を、明瞳孔画像ともいう。例えば、照明装置１１および撮像装置１２が近接して配置されることによって、撮像装置１２に明瞳孔画像を生成させてよい。他の実施形態において、撮像装置１２は、画像上の対象者１５の眼の瞳孔が暗い撮像画像を生成する。以下、瞳孔が暗い撮像画像を、暗瞳孔画像ともいう。例えば、照明装置１１および撮像装置１２が離れて配置されることによって、撮像装置１２に暗瞳孔画像を生成させてよい。
【００１２】
警告装置１３は、対象者１５に対する警告を行う。例えば、音によって警告が行われる場合には、警告装置１３は、車両１６内の任意の位置に配置されてよい。例えば、振動によって警告が行われる場合には、警告装置１３は、振動が対象者１５に伝わるような任意の位置に配置されてよい。例えば、警告装置１３は、車両１６内の運転者用座席、ステアリングホイール、シフトノブ、またはフットレストなどに配置されてよい。
【００１３】
対象者監視システム１０の各構成要素について説明する。
【００１４】
撮像装置１２について説明する。図１に示すように、撮像装置１２は、撮像光学系２２と、撮像素子２３と、ＡＦＥ（Analog Front End）２４と、画像処理部２５と、通信部２６と、カメラ制御部２７と、を備える。
【００１５】
撮像光学系２２は、絞り、１以上のレンズ、およびこれらを保持する鏡筒を含んでよい。撮像光学系２２は、撮像光学系２２を通過する光による被写体像を結像させる。撮像光学系２２は、少なくとも所定の波長帯域の光を通過させる。所定の波長帯域は、後述するように照明装置１１から出る照明光の波長を含んでよい。例えば、照明光が赤外光を含む場合、所定の波長帯域は、当該赤外光の波長が含まれる帯域であってよい。一実施形態において、撮像光学系２２は、当該所定の波長帯域の光を通過させるフィルタをさらに含んでよい。撮像光学系２２は、照明装置１１から出る照明光の照射先からの反射光を取込可能となる任意の位置にある。一実施形態において、撮像光学系２２は、照明装置１１から出る照明光が照射された対象者１５の顔を含む被写体像を結像可能である。
【００１６】
撮像光学系２２に含まれる１以上のレンズにおいて、２以上のレンズ面それぞれには、ＡＲ（Anti-Reflective）コーティング層が形成される。ＡＲコーティング層は、例えばマルチコーティングによって形成されてよい。ＡＲコーティング層によって、任意の帯域の光の透過率が制御可能である。例えば、可視光帯域の光の透過率が制御されてよい。例えば、レンズ面毎に特性が異なるＡＲコーティング層が形成されることによって、任意の帯域の光の透過率が制御されてよい。一実施形態において、照明装置１１から出る照明光の透過率が可視光の透過率よりも大きくなるように、２以上のレンズ面それぞれにＡＲコーティング層が形成される。ＡＲコーティング層による光の透過率の詳細については後述する。
【００１７】
一実施形態において、撮像光学系２２に含まれるレンズのＦ値は、撮像素子２３の画素ピッチに応じて決定される。レンズのＦ値の決定手法の詳細については後述する。
【００１８】
撮像素子２３は、例えばＣＣＤ（Charge-Coupled Device）撮像素子またはＣＭＯＳ（Complementary Metal Oxide Semiconductor）撮像素子を含んでよい。撮像素子２３の受光面に複数の画素が任意の画素ピッチで配列されてよい。撮像素子２３は、撮像光学系２２によって結像される被写体像を撮像して、撮像画像を生成する。撮像素子２３がＣＭＯＳ撮像素子を含む場合には、ＡＦＥ２４の後述する各機能を撮像素子２３が有する構成であってよい。
【００１９】
ＡＦＥ２４は、例えばＣＤＳ（Correlated Double Sampling）、ＡＧＣ（Auto Gain Control）、およびＡＤＣ（Analog-to-Digital Converter）を含んでよい。ＡＦＥ２４は、撮像素子２３によって生成されたアナログの撮像画像に対し、所定の前段画像処理を施す。前段画像処理には、例えば相関二重サンプリング、ゲイン調整、およびＡ／Ｄ変換などが含まれてよい。
【００２０】
画像処理部２５は、１以上のプロセッサを含む。プロセッサには、特定の処理に特化した専用のプロセッサ、および特定のプログラムを読み込むことによって特定の機能を実行する汎用のプロセッサが含まれてよい。専用のプロセッサには、ＤＳＰ（Digital Signal Processor）および特定用途向けＩＣ（ＡＳＩＣ；Application Specific Integrated Circuit）が含まれてよい。プロセッサには、プログラマブルロジックデバイス（ＰＬＤ；Programmable Logic Device）が含まれてよい。ＰＬＤには、ＦＰＧＡ（Field-Programmable Gate Array）が含まれてよい。照明装置制御部２１は、１つまたは複数のプロセッサが協働するＳｏＣ（System-on-a-Chip）、およびＳｉＰ（System In a Package）のいずれかであってよい。画像処理部２５は、ＡＦＥ２４によって前段画像処理が施された撮像画像に対して、所定の後段画像処理を施す。
【００２１】
後段画像処理には、例えば露出調整処理などが含まれてよい。後段画像処理には、撮像画像のボケを低減する復元処理が含まれてよい。後述するように、撮像光学系２２に含まれるレンズは、撮像画像の全領域で回折限界に略等しい性能を得るために適切な大きさのＦ値を有する。回折限界において、レンズの点光源に対する応答は、回転対称のジンク関数の分布となる。レンズの点光源に対する応答は、例えば点拡がり関数（ＰＳＦ：Point Spread Function）で示されてよい。撮像画像の全領域で点拡がり関数が略均一なジンク関数の分布となる場合、当該点拡がり関数に対応する単一のデコンボリューションフィルタを用いることによって、撮像画像のボケが低減可能である。デコンボリューションフィルタには、例えばウィナーフィルタが含まれてよい。画像処理部２５は、当該点拡がり関数に対応する単一のデコンボリューションフィルタを用いて、撮像画像に対して復元処理を施す。復元処理には、デコンボリューション処理が含まれてよい。
【００２２】
画像処理部２５は、後段画像処理が施された撮像画像上の対象者１５の眼または瞳孔を検出する。眼または瞳孔の検出には、任意の手法が採用可能である。例えば、パターンマッチングを用いる手法、または撮像画像上の特徴点（例えば、顔の輪郭、眼、鼻、および口などに対応する特徴点）を抽出する手法などが採用可能である。撮像画像上の特徴点は、例えば対象者１５の顔の輪郭、眼、瞳孔、鼻、および口などに対応する点を含んでよい。
【００２３】
画像処理部２５は、撮像画像上の対象者１５の眼または瞳孔の検出結果に基づいて対象者１５の状態を判定する。例えば、対象者１５がよそ見運転または居眠り運転をしていると、画像処理部２５は、撮像画像上の対象者１５の眼または瞳孔を、連続する複数のフレームに亘って検出できない場合がある。以下、対象者１５がよそ見運転または居眠り運転をしている状態を、運転不適状態ともいう。画像処理部２５は、連続する所定数のフレームに亘って撮像画像上の対象者１５の眼または瞳孔が検出されない場合、対象者１５が運転不適状態であると判定してよい。
【００２４】
画像処理部２５は、対象者１５の状態の判定結果に応じて、警告装置１３に警告を行わせるための制御信号を生成してよい。画像処理部２５は、通信部２６を介して警告装置１３へ当該制御信号を出力してよい。一実施形態において、画像処理部２５は、対象者１５が運転不適状態であると判定された場合に、当該制御信号を生成し出力する。
【００２５】
通信部２６は、ネットワーク１４を介して情報の入力および出力を行うインターフェースを含んでよい。以下、情報の入力を、情報の取得または受信ともいう。情報の出力を、情報の送信ともいう。
【００２６】
カメラ制御部２７は、１以上のプロセッサを含む。プロセッサには、特定の処理に特化した専用のプロセッサ、および特定のプログラムを読み込むことによって特定の機能を実行する汎用のプロセッサが含まれてよい。専用のプロセッサには、ＡＳＩＣが含まれてよい。プロセッサには、ＰＬＤが含まれてよい。ＰＬＤには、ＦＰＧＡが含まれてよい。照明装置制御部２１は、１つまたは複数のプロセッサが協働するＳｏＣ、およびＳｉＰのいずれかであってよい。カメラ制御部２７は、撮像装置１２全体の動作を制御する。例えば、カメラ制御部２７は、撮像のタイミングを示す同期信号を生成し、通信部２６の動作を制御して当該同期信号を照明装置１１へ出力させる。カメラ制御部２７は、同期信号が出力されると、撮像素子２３の動作を制御して、被写体像を撮像させる。他の実施形態において、同期信号は、車両１６に備えられた装置のうち、撮像装置１２以外の装置によって生成されてよい。例えば、照明装置１１、警告装置１３、または車両１６に搭載されたＥＣＵ（Electronic Control Unit）などによって、同期信号が生成されてよい。生成された同期信号は、撮像装置１２および照明装置１１にそれぞれ入力されてよい。
【００２７】
照明装置１１について説明する。照明装置１１は、１以上の光源１８と、照明光学系１９と、照明装置通信部２０と、照明装置制御部２１と、を備える。
【００２８】
光源１８は、例えばＬＥＤなどを含む。光源１８は、少なくとも所定の波長帯域の光を発する。光源１８の発光は、連続発光またはパルス発光であってよい。所定の波長帯域の光は、撮像装置１２の撮像素子２３が光電変換可能な光である。一実施形態において、光源１８は赤外帯域の拡散光を発する赤外ＬＥＤであってよい。
【００２９】
照明光学系１９は、例えば画角が調整されたレンズを含む。照明光学系１９は、照明光学系１９を透過する光を照射する。一実施形態において、光源１８によって発せられ照明光学系１９を透過した照明光は、対象者１５の顔全体に照射される。
【００３０】
照明装置通信部２０は、ネットワーク１４を介して情報の入力および出力を行うインターフェースを含む。
【００３１】
照明装置制御部２１は、１以上のプロセッサを含む。プロセッサには、特定の処理に特化した専用のプロセッサ、および特定のプログラムを読み込むことによって特定の機能を実行する汎用のプロセッサが含まれてよい。専用のプロセッサには、ＡＳＩＣが含まれてよい。プロセッサには、ＰＬＤが含まれてよい。ＰＬＤには、ＦＰＧＡが含まれてよい。照明装置制御部２１は、１つまたは複数のプロセッサが協働するＳｏＣ、およびＳｉＰのいずれかであってよい。照明装置制御部２１は、照明装置１１の各部位の動作を制御する。例えば、照明装置制御部２１は、撮像装置１２の撮像タイミングと同期して、光源１８を発光させる。一実施形態において、照明装置制御部２１は、照明装置通信部２０を介して取得する同期信号に応じて周期的に、光源１８に赤外帯域の光を所定の時間発光させる。上述したように、撮像装置１２は、同期信号に応じて撮像を行う。このため、照明装置１１の発光タイミングと、撮像装置１２の撮像タイミングと、が同期される。
【００３２】
警告装置１３について説明する。警告装置１３は、例えばスピーカおよびバイブレータなどを備えてよい。警告装置１３は、撮像装置１２から上述した制御信号を受信すると、対象者１５に対して警告を行う。警告は、例えば音および振動の少なくとも一方によって行われてよい。警告によって、例えばよそ見運転または居眠り運転などを行う対象者１５に対する運転への注意喚起が可能である。
【００３３】
図３を参照して、撮像装置１２の撮像光学系２２に含まれるレンズ２８およびレンズ２８のＦ値の決定手法について具体的に説明する。レンズ２８は、物体側から入射した光を、撮像素子２３の受光面位置に結像させる。以下、レンズ２８の焦点距離をｆ［ｍｍ］、Ｆ値をＦ、後方被写界深度をＤn［ｍｍ］、前方被写界深度をＤf［ｍｍ］、撮影距離をＳ［ｍｍ］、許容錯乱円直径をδ［ｍｍ］、および撮像素子２３の画素ピッチをｐ［ｍｍ］とおく。
【００３４】
被写界深度（後方被写界深度Ｄn＋前方被写界深度Ｄf）は、次式（１）で示される。
【数１】
2017073059.tif 000003
【００３５】
撮像装置１２と対象者１５との間の撮像距離は、対象者１５の個人差または姿勢に応じて変化し得る。対象者監視システム１０において、撮影距離が取り得ると想定される撮影範囲が被写界深度内に収まるように、撮像装置１２に所定のシステム要件が課されてよい。システム要件は、例えば車両１６の車両定数および車両１６における撮像装置１２の配置に応じて定められてよい。一実施形態において、例えば撮影範囲、水平画角θ、画素ピッチｐ、および許容錯乱円直径δの４つのシステム要件が考慮される。各システム要件の値の一例を以下に示す。
・撮影範囲：４００ｍｍ〜１０００ｍｍ
・水平画角θ：３０°〜６０°
・画素ピッチｐ：０．００３ｍｍ〜０．００６ｍｍ
・許容錯乱円直径δ：δ＝２ｐ
【００３６】
上記のシステム要件を満たす焦点距離ｆについて説明する。各システム要件の数値を異ならせた多様な組み合わせについて、焦点距離ｆを算出する。各焦点距離ｆは、像高をｈ［ｍｍ］として、次式（２）を用いて算出される。
ｈ＝ｆ×ｔａｎ（θ／２）                      （２）
【００３７】
画素ピッチｐ、撮像素子２３の水平画素数、および水平画角θをそれぞれ変化させて、複数の焦点距離ｆを算出する。画素ピッチｐを、例えば０．００３ｍｍ〜０．００６ｍｍの範囲で変化させてよい。水平画素数を、例えば６４０ピクセル〜１９２０ピクセルの範囲で変化させてよい。水平画角θを、例えば３０°〜６０°の範囲で変化させてよい。算出された焦点距離ｆの一部を、次の表１に示す。表１は、画素ピッチｐを０．００６ｍｍまたは０．００３ｍｍとし、撮像素子２３の水平画素数を６４０ピクセル、１２８０ピクセル、または１９２０ピクセルとし、水平画角θを３０°、５０°、または６０°とした場合の１０通りの組み合わせについて、上記のシステム要件を満たすように算出された焦点距離ｆを例示している。
【表１】
2017073059.tif 000004
【００３８】
算出された焦点距離ｆを用いて、上記のシステム要件を満たすＦ値の下限値を算出する。Ｆ値の下限値は、上述の式（１）を用いて算出される。例えば、画素ピッチｐを０．００６ｍｍまたは０．００３ｍｍとし、水平画素数を６４０ピクセル、１２８０ピクセル、または１９２０ピクセルとし、水平画角θを３０°から６０°まで変化させたときの各焦点距離ｆについてＦ値の下限値が算出される。
【００３９】
図４は、横軸を焦点距離ｆ、および縦軸をＦ値とし、算出されたＦ値をプロットしたグラフである。図４は、画素ピッチｐ＝０．００３ｍｍとした場合のＦ値の下限値と、画素ピッチｐ＝０．００６ｍｍとした場合のＦ値の下限値と、を例示している。画素ピッチｐ＝０．００３ｍｍとした場合、許容錯乱円直径δ＝２ｐ＝０．００６ｍｍである。画素ピッチｐ＝０．００６ｍｍとした場合、許容錯乱円直径δ＝２ｐ＝０．０１２ｍｍである。
【００４０】
図５は、横軸をｆ2／δとして、図４に示すＦ値の下限値をプロットし直したグラフである。図５に示す各プロットを通る直線の傾きは０．０００６、切片は０である。したがって、上記のシステム要件を満たすＦ値の範囲は、次式（３）で示される。
Ｆ≧０．０００３ｆ2／ｐ                      （３）
【００４１】
上述の式（３）を満たすようにレンズ２８のＦ値を決定することによって、上記のシステム要件を満たす撮像装置１２が実現可能である。
【００４２】
しかしながら、単純にＦ値を大きくすると、例えば照明装置１１による照明光の出力を上げない限り、撮像画像が暗くなる場合がある。かかる場合、対象者１５の状態の検出精度が低下し、または検出できない場合がある。一方、例えば発熱または消費電力の観点から、照明装置１１による照明光の出力を上げることができない場合がある。したがって、Ｆ値の適切な上限値を決定してもよい。
【００４３】
Ｆ値が大きいレンズ２８は、設計上収差補正が容易であり、公差感度が低い。したがって、Ｆ値が大きいレンズ２８を含む撮像光学系２２によって、撮像画像の全領域で回折限界に略等しい性能を得ることができる。撮像画像の全領域は、撮像素子２３の受光面の全面に対応してよい。一方、Ｆ値を必要以上に大きくしても、回折限界によって解像性能が制限される。解像性能は、分解能であってよい。したがって、回折限界に略等しい性能を得ることができる最小のＦ値を決定し、決定された値をＦ値の上限値に定めてもよい。以下、Ｆ値の上限値の決定手法について、具体的に説明する。
【００４４】
回折限界におけるエアリーディスクの直径φは、次式（４）で示される。
φ＝２．４４λＦ                              （４）
ここで、λは光の波長である。一実施形態において、λは、照明装置１１による赤外帯域の照明光の中心波長である。
【００４５】
本実施形態において、エアリーディスクの直径φと画素ピッチｐとの関係が次式（５）を満たす場合に、実用上で回折限界に略等しい性能を得られることが実験で明らかになった。
φ≦４ｐ                                      （５）
【００４６】
上述した式（４）および式（５）から、Ｆ値の範囲は次式（６）で示される。
Ｆ≦１．６４ｐ／λ                            （６）
【００４７】
上述の式（６）を満たすようにレンズ２８のＦ値を決定することによって、撮像画像の全領域で回折限界に略等しい性能が得られる撮像装置１２が実現可能である。
【００４８】
図６を参照して、撮像光学系２２に含まれる少なくとも１つの光学部材に形成されたＡＲコーティング層による光の透過率の詳細について説明する。一実施形態において、当該光学部材には、レンズ２８が含まれる。１つのレンズ面に形成されるＡＲコーティング層の数を１層または２層とし、ＡＲコーティング層が形成されるレンズ面の数を４面または６面とした場合の４通りの構成について説明する。
【００４９】
図６は、横軸を光の波長λ［ｎｍ］、縦軸を光の透過率［％］を示すグラフである。図６は、ＡＲコーティング層の数が１層かつレンズ面の数が４面である構成Ａ、ＡＲコーティング層の数が１層かつレンズ面の数が６面である構成Ｂ、ＡＲコーティング層の数が２層かつレンズ面の数が４面である構成Ｃ、およびＡＲコーティング層の数が２層かつレンズ面の数が６面である構成Ｄについて、それぞれ波長と透過率との関係を示している。図中の実線は、構成Ａに対応する。図中の破線は、構成Ｂに対応する。図中の一点鎖線は、構成Ｃに対応する。図中の二点鎖線は、構成Ｄに対応する。
【００５０】
一実施形態では、ＡＲコーティング層によって、可視光帯域の光の透過率を低減させる一方、照明装置１１からの赤外帯域の光の透過率を比較的高い値に維持する。可視光帯域は、例えば３６０ｎｍ〜７６０ｎｍの波長帯域を含んでよい。赤外帯域は、例えば、８５０ｎｍ〜９４０ｎｍの波長帯域を含んでよい。ＡＲコーティング層数が１層である構成Ａおよび構成Ｂにおいて、ＡＲコーティング層にはフッ化マグネシウム（ＭｇＦ2）が用いられている。ＭｇＦ2は、深紫外から近赤外までの光を透過する低屈折率材料である。ＡＲコーティング層数が２層である構成Ｃにおいて、第１層にはＭｇＦ2、第２層には二酸化ジルコニウム（ＺｒＯ2）が用いられている。ＺｒＯ2は、３４０ｎｍから８μｍまでの光を透過する高屈折材料である。ＡＲコーティング層数が２層である構成Ｄにおいて、第１層にはＭｇＦ2、第２層には酸化チタン（ＴｉＯ2）が用いられている。ＴｉＯ2は、紫外帯域の光を吸収する高屈折材料である。
【００５１】
図６に示すように、ＡＲコーティング層数が１層である構成Ａおよび構成Ｂでは、例えば４２０ｎｍ付近で透過率が約８０％であり、可視光帯域における透過率は比較的高い。一方、ＡＲコーティング層数が２層かつレンズ面の数が４面である構成Ｃでは、例えば５３０ｎｍ付近で透過率が約５５％であり、構成Ａおよび構成Ｂと比較して可視光帯域における透過率が低減されている。
【００５２】
また、ＡＲコーティング総数が２層かつレンズ面の数が６面である構成Ｄでは、例えば４８０ｎｍ付近で透過率が約１０％であり、可視光帯域における透過率が構成Ｃよりもさらに低い。また、例えば４００ｎｍ付近の透過率は、構成Ｃで約８５％であるのに対し、構成Ｄで約２５％である。同様に、例えば７００ｎｍ付近の透過率は、構成Ｃで約８０％であるのに対し、構成Ｄで約５５％である。このように、構成Ｄは、構成Ｃと比較して可視光帯域に亘って透過率がさらに低減されている。本実施形態に係る撮像光学系２２の構成は、上述した構成Ｃおよび構成Ｄに限られない。２以上のレンズ面に異なる種類のＡＲコーティング層が形成されてもよい。ＡＲコーティング層の種類には、例えばＡＲコーティング層に含まれる材質および形成される層の数が含まれてよい。例えば、任意のレンズ面において、第１層にＭｇＦ2および第２層にＺｒＯ2が用いられたＡＲコーティング層が施され、他のレンズ面において、第１層にＭｇＦ2および第２層にＴｉＯ2が用いられたＡＲコーティング層が形成されてよい。２以上のレンズ面にそれぞれ形成させるＡＲコーティング層の種類を調整することによって、所望の波長特性を実現し得る。
【００５３】
上述したように、一実施形態においてレンズ２８のＦ値は比較的大きい。このため、外光のうち可視光帯域の光の強度は、レンズ２８を通過すると比較的小さくなる。例えば照明装置１１による照明光の強度が外光と比較して十分大きい場合には、上述したように複数のＡＲコーティング層によって外光を一定程度低減すれば、実用上良好な撮像画像が得られる。したがって、例えば撮像光学系が可視光カットフィルタを有する構成と比較して、可視光カットフィルタが省略可能であり、撮像光学系２２の構成が簡素化および小型化できる。
【００５４】
以上述べたように、一実施形態に係る撮像装置１２のレンズ２８は、Ｆ値、焦点距離ｆ、および撮像素子２３の画素ピッチｐを用いて、上述した式（１）であるＦ≧０．０００３ｆ2／ｐを満たすように決定されてよい。かかる構成によって、車両１６内に設置され対象者１５を撮像するという特殊な使用環境にも利用できる撮像装置１２が実現可能である。
【００５５】
一実施形態に係る撮像装置１２以外の撮像装置が用いられる例について説明する。例えば、車両内空間の広さは限られており、撮像装置から対象者までの撮影距離が短いため、撮像装置の被写界深度が浅くなる。撮影距離は、対象者の個人差または姿勢などによって変化し得る。このため、被写界深度が浅いと必ずしも対象者にピントが合わず、撮像画像にボケが発生する場合がある。ボケが発生した撮像画像は、対象者の状態の検出精度の低下を引き起こし得る。
【００５６】
これに対して、一実施形態に係る撮像装置１２によれば、例えば車両１６内で姿勢が変化し得る対象者１５を撮像するのに十分な被写界深度を確保した撮像装置１２が実現可能である。したがって、撮像画像のボケの発生が抑制され、対象者１５の状態の検出精度が向上する。
【００５７】
Ｆ＝０．０００３ｆ2／ｐとした場合には、被写界深度を確保しつつ比較的明るい撮像画像が生成される。このため、撮像画像の明るさの観点から対象者１５の状態の検出精度がさらに向上する。
【００５８】
上述した式（１）によれば、Ｆ値を大きくすることができる。Ｆ値を大きくすることによって、レンズ２８の口径を小さくできる。このため、撮像光学系２２の鏡筒を小型化でき、撮像装置１２全体として小型化が可能である。Ｆ値を大きくすることによって、収差補正が容易になる。このため、例えば上述した式（１）を満たさないＦ＜０．０００３ｆ2／ｐであるレンズを用いる構成と比較して、撮像光学系２２が有するレンズ枚数を削減でき、撮像装置１２全体としてさらに小型化が可能である。Ｆ値を大きくすることによって、焦点深度が深くなる。したがって、例えば上述した式（１）を満たさないＦ＜０．０００３ｆ2／ｐであるレンズを用いる構成と比較してデフォーカス特性に余裕があるある。このため、例えばガラスレンズに比べて線膨張係数が大きい樹脂レンズの積極的な採用が可能である。したがって、採用可能なレンズの選択肢が多様化する。多様な性質を有する樹脂レンズの採用が可能であり、撮像装置１２全体としてさらに小型化が可能である。
【００５９】
レンズ２８のＦ値は、対象者１５を照らす照明光の中心波長λを用いて、上述した式（６）であるＦ≦１．６４ｐ／λを満たすように決定されてよい。かかる構成によって、回折限界による解像性能と、撮像画像の明るさと、の良好なバランスを有する撮像装置１２が実現可能である。
【００６０】
一実施形態に係る撮像装置１２以外の撮像装置が用いられる例について説明する。被写界深度を深くするために、撮像装置のＦ値を大きくすることが考えられる。しかしながら、Ｆ値を大きくすると、撮像画像の明るさが暗くなる。このため、対象者の状態の検出精度が低下し、または検出できない場合がある。
【００６１】
これに対して、一実施形態に係る撮像装置１２によれば、Ｆ＝１．６４ｐ／λであるレンズ２８を有する撮像光学系２２によって、撮像画像の全領域で回折限界に略等しい性能を得ることができ、解像性能が向上する。Ｆ＜１．６４ｐ／λであるレンズ２８を有する撮像光学系２２によって、レンズ２８のＦ値をＦ＝１．６４ｐ／λとした場合よりも解像性能は低下し得る一方、撮像画像が明るくなる。このため、例えば発熱または消費電力の観点から照明装置１１の出力を上げることができない場合にも利用できる撮像装置１２が実現可能である。一方、式（６）を満たさないＦ＞１．６４ｐ／λであるレンズが採用される構成であっても、回折限界によって解像性能は変化しない。しかしながら、撮像画像が暗くなる場合がある。このため、式（６）を満たす場合と比較して、対象者１５の状態の検出精度が低下する場合がある。
【００６２】
撮像装置１２は、単一のデコンボリューションフィルタを用いて、撮像画像に対して復元処理を施してよい。上述したように、式（３）を満たすようにレンズ２８のＦ値を決定して被写界深度を十分深くすることによって、撮像画像の全領域で点拡がり関数が略均一なジンク関数の分布となる。換言すると、被写界深度が深いレンズ２８を用いることによって、撮影距離全域の点像の広がりが一定の分布となるように撮像装置１２が設計可能である。具体的には、照明装置１１による照明光は所定の中心波長を有する赤外帯域の光であり、色収差が実用上無視できる。このため、レンズ２８の口径を小さくすることで、撮像画像の全領域で点像の広がりが略均一の分布となる。さらに、上述したようにＦ値が大きいレンズ２８は公差感度が低い。このため、設計値に近い性能が得られる。したがって、点拡がり関数に対応する単一のデコンボリューションフィルタを用いて撮像画像のボケが低減可能である。このため、例えば撮像画像の全領域で点拡がり関数が不均一であって複数のフィルタを用いて復元処理を行う構成と比較して、処理負担が軽減される。回折限界に近い性能である場合には、フィルタサイズを小さくすることができる。
【００６３】
撮像光学系２２に含まれる１以上のレンズの２以上のレンズ面に異なる種類のコーティング層が形成されてよい。かかる構成によって、所望の波長特性を得ることができる。例えば、可視光帯域および紫外帯域の透過率を低減しつつ、赤外帯域の透過率を増大させることができる。例えば撮像光学系が可視光カットフィルタを有する構成と比較して、可視光カットフィルタが省略可能である。このため、撮像光学系２２の構成が簡素化および小型化できる。
【００６４】
本発明を諸図面や実施形態に基づき説明してきたが、当業者であれば本開示に基づき種々の変形や修正を行うことが容易であることに注意されたい。したがって、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、あるいは分割したりすることが可能である。
【００６５】
上述の実施形態に係る対象者監視システム１０の構成要素の一部は、車両１６の外部に設けられてもよい。例えば、撮像装置１２などは、携帯電話などの通信機器として実現され、対象者監視システム１０の他の構成要素と有線または無線によって接続されてもよい。
【符号の説明】
【００６６】
１０    対象者監視システム
１１    照明装置
１２    撮像装置
１３    警告装置
１４    ネットワーク
１５    対象者
１６    車両
１７    ダッシュボード
１８    光源
１９    照明光学系
２０    照明装置通信部
２１    照明装置制御部
２２    撮像光学系
２３    撮像素子
２４    ＡＦＥ
２５    画像処理部
２６    通信部
２７    カメラ制御部
２８    レンズ
【図１】
2017073059.tif 000005
【図２】
2017073059.tif 000006
【図３】
2017073059.tif 000007
【図４】
2017073059.tif 000008
【図５】
2017073059.tif 000009
【図６】
2017073059.tif 000010
【国際調査報告】
2017073059.tif 000011
2017073059.tif 000012